(57)【要約】【課題】情報を必要とする移動通信端末に、移動体通信網とは異なる所定の無線通信方式を用いて当該情報を提供すること。【解決手段】携帯電話機１０は、移動体通信網３０に接続可能であると共にアドホックモードによる接続を介して他の携帯電話機と通信可能であって、自機のセルＩＤを取得する第１位置取得部１１２と、他の携帯電話機のセルＩＤを取得する第２位置取得部１１４と、これら二つのセルＩＤに基づいて、自機に格納されている配信情報を他の携帯電話機に送信するか否かを判定する送信判定部１１６と、送信判定部１１６により配信情報を送信すると判定された場合に、アドホックモードによる接続を介して他の携帯電話機に当該配信情報を送信する送信部１１８と、を備えることを特徴とする。【選択図】図２
2008244813.tif 000002
【特許請求の範囲】
【請求項１】
移動体通信網に接続可能であると共に、当該移動体通信網とは異なる所定の無線通信方式を用いて他の移動体通信端末と通信可能な移動体通信端末であって、
自端末の位置情報を取得する第１の位置取得手段と、
他の移動通信端末の位置情報を取得する第２の位置取得手段と、
前記第１の位置取得手段により取得された位置情報と、前記第２の位置取得手段により取得された位置情報とに基づいて、自端末に格納されている所定の情報を前記他の移動通信端末に送信するか否かを判定する送信判定手段と、
前記送信判定手段により前記所定の情報を送信すると判定された場合に、前記所定の無線通信方式を用いて前記他の移動通信端末に当該所定の情報を送信する送信手段と、
を備えることを特徴とする移動通信端末。
【請求項２】
前記送信手段が、前記他の移動通信端末にアドホックモードで接続し、当該他の移動通信端末に前記所定の情報を送信する、
ことを特徴とする請求項１に記載の移動通信端末。
【請求項３】
前記第２の位置取得手段が、前記他の移動通信端末にアドホックモードで接続し、当該他の移動通信端末の位置情報を取得する、
ことを特徴とする請求項１又は２に記載の移動通信端末。
【請求項４】
前記送信判定手段が、前記第１の位置取得手段により取得された位置情報と、前記第２の位置取得手段により取得された位置情報とが一致する場合に、前記所定の情報を前記他の移動通信端末に送信すると判定する、
ことを特徴とする請求項１〜３のいずれか一項に記載の移動通信端末。
【請求項５】
前記移動体通信網又は前記所定の無線通信方式を用いて所定の情報を受信する受信手段と、
前記受信手段により受信された所定の情報を格納する格納手段と、
を更に備え、
前記送信判定手段が、前記格納手段に格納されている所定の情報を前記他の移動通信端末に送信するか否かを判定する、
ことを特徴とする請求項１〜４のいずれか一項に記載の移動通信端末。
【請求項６】
前記送信判定手段が、前記所定の情報の内容に基づいて当該所定の情報を前記他の移動通信端末に送信するか否かを判定する、
ことを特徴とする請求項１〜５のいずれか一項に記載の移動通信端末。
【請求項７】
前記所定の情報が、当該情報の緊急度を示す緊急度情報を含み、
前記送信判定手段が、前記緊急度情報で示される緊急度が閾値以上である場合に、前記所定の情報を前記他の移動通信端末に送信すると判定する、
ことを特徴とする請求項６に記載の移動通信端末。
【請求項８】
前記送信判定手段が、予め定められた特定の情報が前記所定の情報に含まれている場合に、当該所定の情報を前記他の移動通信端末に送信すると判定する、
ことを特徴とする請求項６に記載の移動通信端末。
【請求項９】
移動体通信網に接続可能であると共に、当該移動体通信網とは異なる所定の無線通信方式を用いて他の移動体通信端末と通信可能な移動体通信端末であって、
自端末の位置情報を取得する位置取得手段と、
他の移動通信端末から前記所定の無線通信方式を用いて、所定の情報と当該他の移動通信端末の位置情報とを受信する受信手段と、
前記位置取得手段により取得された位置情報と、前記受信手段により受信された位置情報とに基づいて、前記受信手段により受信された所定の情報を格納するか否かを判定する格納判定手段と、
前記格納判定手段により前記所定の情報を格納すると判定された場合に、当該所定の情報を格納する格納手段と、
を備えることを特徴とする移動通信端末。
【請求項１０】
移動体通信網に接続可能であると共に、当該移動体通信網とは異なる所定の無線通信方式を用いて他の移動体通信端末と通信可能な移動体通信端末の無線通信方法であって、
前記移動通信端末が、自端末の位置情報を取得する第１の位置取得ステップと、
前記移動通信端末が、他の移動通信端末の位置情報を取得する第２の位置取得ステップと、
前記移動通信端末が、前記第１の位置取得ステップにおいて取得された位置情報と、前記第２の位置取得ステップにおいて取得された位置情報とに基づいて、自端末に格納されている所定の情報を前記他の移動通信端末に送信するか否かを判定する送信判定ステップと、
前記移動通信端末が、前記送信判定ステップにおいて前記所定の情報を送信すると判定された場合に、前記所定の無線通信方式を用いて前記他の移動通信端末に当該所定の情報を送信する送信ステップと、
を含むことを特徴とする無線通信方法。
【請求項１１】
移動体通信網に接続可能であると共に、当該移動体通信網とは異なる所定の無線通信方式を用いて他の移動体通信端末と通信可能な移動体通信端末の無線通信方法であって、
前記移動通信端末が、自端末の位置情報を取得する位置取得ステップと、
前記移動通信端末が、他の移動通信端末から前記所定の無線通信方式を用いて、所定の情報と当該他の移動通信端末の位置情報とを受信する受信ステップと、
前記移動通信端末が、前記位置取得ステップにおいて取得された位置情報と、前記受信ステップにおいて受信された位置情報とに基づいて、前記受信ステップにおいて受信された所定の情報を格納するか否かを判定する格納判定ステップと、
前記移動通信端末が、前記格納判定ステップにおいて前記所定の情報を格納すると判定された場合に、当該所定の情報を格納する格納ステップと、
を含むことを特徴とする無線通信方法。
【請求項１２】
移動体通信網に接続可能であると共に当該移動体通信網とは異なる所定の無線通信方式を用いて互いに通信可能な移動通信端末及び他の移動通信端末を備える、移動通信システムであって、
前記移動通信端末が、
自端末の位置情報を取得する第１の位置取得手段と、
前記他の移動通信端末の位置情報を取得する第２の位置取得手段と、
前記第１の位置取得手段により取得された位置情報と、前記第２の位置取得手段により取得された位置情報とに基づいて、自端末に格納されている所定の情報を前記他の移動通信端末に送信するか否かを判定する送信判定手段と、
前記送信判定手段により前記所定の情報を送信すると判定された場合に、前記所定の無線通信方式を用いて前記他の移動通信端末に当該所定の情報を送信する送信手段と、
を備え、
前記他の移動通信端末が、
前記所定の無線通信方式を用いて前記位置情報を前記移動通信端末に提供する位置提供手段と、
前記位置提供手段により提供された位置情報に応じて前記送信手段により送信された前記所定の情報を受信する受信手段と、
前記受信手段により受信された所定の情報を格納する格納手段と、
を備える、
ことを特徴とする移動通信システム。
【発明の詳細な説明】
【技術分野】
【０００１】
本発明は、移動体通信網とは異なる所定の無線通信方式を用いて通信を行う移動通信端末、無線通信方法及び移動通信システムに関するものである。
【背景技術】
【０００２】
従来から、移動通信端末が移動体通信網を用いずに通信を行う手法が知られている。例えば、下記特許文献１には、セルラーネットワークが使用できない状況下で携帯電話機による通信を可能にする通信システムが開示されている。この通信システムでは、携帯電話機が、自端末の位置情報を含む救助信号を、中継センサを有するアドホックネットワークを介してレスキュー隊員携行端末に送信する。これにより、携行端末が圏外にあるような場合でも、所望のデータ通信が可能となる。
【特許文献１】特開２００６−２３７６６６号公報
【発明の開示】
【発明が解決しようとする課題】
【０００３】
しかしながら、上記特許文献１に記載の通信システムでは、中継センサが携帯電話機からの救助信号をブロードキャストするため、その救助信号がアドホックネットワーク全体を伝わる可能性がある。そのため、救助信号が、本来その信号を受信する必要がない携行端末にも送信されるおそれがある。
【０００４】
本発明は、上記課題を解決する為になされたものであり、情報を必要とする移動通信端末に、移動体通信網とは異なる所定の無線通信方式を用いて当該情報を提供することが可能な移動通信端末、無線通信方法及び移動通信システムを提供することを目的とする。
【課題を解決するための手段】
【０００５】
本発明の移動通信端末は、移動体通信網に接続可能であると共に、当該移動体通信網とは異なる所定の無線通信方式を用いて他の移動体通信端末と通信可能な移動体通信端末であって、自端末の位置情報を取得する第１の位置取得手段と、他の移動通信端末の位置情報を取得する第２の位置取得手段と、第１の位置取得手段により取得された位置情報と、第２の位置取得手段により取得された位置情報とに基づいて、自端末に格納されている所定の情報を他の移動通信端末に送信するか否かを判定する送信判定手段と、送信判定手段により所定の情報を送信すると判定された場合に、所定の無線通信方式を用いて他の移動通信端末に当該所定の情報を送信する送信手段と、を備えることを特徴とする。
【０００６】
また、本発明の無線通信方法は、移動体通信網に接続可能であると共に、当該移動体通信網とは異なる所定の無線通信方式を用いて他の移動体通信端末と通信可能な移動体通信端末の無線通信方法であって、移動通信端末が、自端末の位置情報を取得する第１の位置取得ステップと、移動通信端末が、他の移動通信端末の位置情報を取得する第２の位置取得ステップと、移動通信端末が、第１の位置取得ステップにおいて取得された位置情報と、第２の位置取得ステップにおいて取得された位置情報とに基づいて、自端末に格納されている所定の情報を他の移動通信端末に送信するか否かを判定する送信判定ステップと、移動通信端末が、送信判定ステップにおいて所定の情報を送信すると判定された場合に、所定の無線通信方式を用いて他の移動通信端末に当該所定の情報を送信する送信ステップと、を含むことを特徴とする。
【０００７】
また、本発明の移動通信システムは、移動体通信網に接続可能であると共に当該移動体通信網とは異なる所定の無線通信方式を用いて互いに通信可能な移動通信端末及び他の移動通信端末を備える、移動通信システムであって、移動通信端末が、自端末の位置情報を取得する第１の位置取得手段と、他の移動通信端末の位置情報を取得する第２の位置取得手段と、第１の位置取得手段により取得された位置情報と、第２の位置取得手段により取得された位置情報とに基づいて、自端末に格納されている所定の情報を他の移動通信端末に送信するか否かを判定する送信判定手段と、送信判定手段により所定の情報を送信すると判定された場合に、所定の無線通信方式を用いて他の移動通信端末に当該所定の情報を送信する送信手段と、を備え、他の移動通信端末が、所定の無線通信方式を用いて位置情報を移動通信端末に提供する位置提供手段と、位置提供手段により提供された位置情報に応じて送信手段により送信された所定の情報を受信する受信手段と、受信手段により受信された所定の情報を格納する格納手段と、を備える、ことを特徴とする。
【０００８】
このような移動通信端末、無線通信方法及び移動通信システムによれば、まず、移動通信端末自身の位置情報と、他の移動通信端末の位置情報とが取得される。続いて、それら二つの位置情報に基づいて、自端末に格納されている所定の情報を他の移動通信端末に送信するか否かが判定される。そして、その所定の情報を送信すると判定された場合に、その所定の情報が、移動体通信網とは異なる所定の無線通信方式を用いて、他の移動通信端末に送信される。これにより、所定の情報を送信する際に、他の移動通信端末の位置情報が考慮されるので、その情報を必要とする他の移動通信端末に、移動体通信網とは異なる所定の無線通信方式を用いて当該情報を提供できる。また、送信すると判定された場合にだけ所定の情報が送信されるので、所定の無線通信方式を用いて伝送される情報の量が低減される。その結果、送信処理の負荷を低減できる。
【０００９】
本発明の移動通信端末では、送信手段が、他の移動通信端末にアドホックモードで接続し、当該他の移動通信端末に所定の情報を送信することが好ましい。
【００１０】
この場合、所定の情報を送信する移動通信端末と、その情報を受信する他の移動通信端末とがアドホックモードで接続される。なお、アドホックモードとは、データを送信する移動通信端末と、そのデータを受信する移動通信端末とが、中継装置を介することなく互いに直接接続して通信する方式である。これにより、他の通信装置（例えば中継装置など）を介することなく、所定の情報が送信される。そのため、他の通信装置の稼働状況に依存することなく、所定の情報を他の移動通信端末に送信できる。また、他の通信装置の負荷を低減できる。
【００１１】
本発明の移動通信端末では、第２の位置取得手段が、他の移動通信端末にアドホックモードで接続し、当該他の移動通信端末の位置情報を取得することが好ましい。
【００１２】
この場合、位置情報を取得する移動通信端末と、その位置情報を提供する他の移動通信端末とがアドホックモードで接続される。これにより、他の通信装置（例えば中継装置など）を介することなく、他の移動通信端末の位置情報が移動通信端末により取得される。そのため、他の通信装置の稼働状況に依存することなく、その位置情報を取得できる。また、他の通信装置の負荷を低減できる。
【００１３】
本発明の移動通信端末では、送信判定手段が、第１の位置取得手段により取得された位置情報と、第２の位置取得手段により取得された位置情報とが一致する場合に、所定の情報を他の移動通信端末に送信すると判定することが好ましい。
【００１４】
この場合、移動通信端末の位置情報と他の移動通信端末の位置情報とが一致する場合に、所定の情報が当該他の移動通信端末に送信される。これにより、所定の情報の送信範囲が、同一の位置情報で示される範囲に限定されるので、当該範囲に存在する他の移動通信端末に限定して当該情報を提供できる。また、送信範囲が限定されることで、所定の情報の送信量が低減されるので、送信処理の負荷を更に低減できる。
【００１５】
本発明の移動通信端末では、移動体通信網又は所定の無線通信方式を用いて所定の情報を受信する受信手段と、受信手段により受信された所定の情報を格納する格納手段と、を更に備え、送信判定手段が、格納手段に格納されている所定の情報を他の移動通信端末に送信するか否かを判定することが好ましい。
【００１６】
この場合、他の通信装置から送信されてきた所定の情報を他の移動通信端末に転送する際に、移動通信端末自身の位置情報と、当該他の移動通信端末の位置情報とが考慮される。これにより、その情報を必要とする他の移動通信端末に当該情報を転送できる。また、所定の無線通信方式を用いて伝送される情報の転送量が低減されるので、転送処理の負荷を低減できる。
【００１７】
本発明の移動通信端末では、送信判定手段が、所定の情報の内容に基づいて当該所定の情報を他の移動通信端末に送信するか否かを判定することが好ましい。
【００１８】
この場合、移動通信端末及び他の移動通信端末の位置情報だけでなく所定の情報の内容にも基づいて、当該所定の情報が送信される。これにより、送信する情報を選択し、選択した情報を所定の無線通信方式を用いて他の移動通信端末に送信できる。また、所定の無線通信方式を用いて伝送される情報が限定されるので、情報送信量がより低減される。その結果、送信処理の負荷を更に低減できる。
【００１９】
本発明の移動通信端末では、所定の情報が、当該情報の緊急度を示す緊急度情報を含み、送信判定手段が、緊急度情報で示される緊急度が閾値以上である場合に、所定の情報を他の移動通信端末に送信すると判定することが好ましい。
【００２０】
この場合、移動通信端末及び他の移動通信端末の位置情報だけでなく、所定の情報に含まれる緊急度情報にも基づいて、当該所定の情報が送信される。これにより、緊急度の高い情報のみを所定の無線通信方式を用いて他の移動通信端末に送信できる。また、所定の無線通信方式を用いて伝送される情報が緊急度の高いものに限定されるので、情報送信量がより低減される。その結果、送信処理の負荷を更に低減できる。
【００２１】
本発明の移動通信端末では、送信判定手段が、予め定められた特定の情報が所定の情報に含まれている場合に、当該所定の情報を他の移動通信端末に送信すると判定することが好ましい。
【００２２】
この場合、移動通信端末及び他の移動通信端末の位置情報だけでなく、特定の情報の有無にも基づいて、所定の情報が送信される。これにより、特定の情報を含む情報のみを所定の無線通信方式を用いて他の移動通信端末に送信できる。また、所定の無線通信方式を用いて伝送される情報が限定されるので、情報送信量がより低減される。その結果、送信処理の負荷を更に低減できる。
【００２３】
本発明の移動通信端末は、移動体通信網に接続可能であると共に、当該移動体通信網とは異なる所定の無線通信方式を用いて他の移動体通信端末と通信可能な移動体通信端末であって、自端末の位置情報を取得する位置取得手段と、他の移動通信端末から所定の無線通信方式を用いて、所定の情報と当該他の移動通信端末の位置情報とを受信する受信手段と、位置取得手段により取得された位置情報と、受信手段により受信された位置情報とに基づいて、受信手段により受信された所定の情報を格納するか否かを判定する格納判定手段と、格納判定手段により所定の情報を格納すると判定された場合に、当該所定の情報を格納する格納手段と、を備えることを特徴とする。
【００２４】
また、本発明の無線通信方法は、移動体通信網に接続可能であると共に、当該移動体通信網とは異なる所定の無線通信方式を用いて他の移動体通信端末と通信可能な移動体通信端末の無線通信方法であって、移動通信端末が、自端末の位置情報を取得する位置取得ステップと、移動通信端末が、他の移動通信端末から所定の無線通信方式を用いて、所定の情報と当該他の移動通信端末の位置情報とを受信する受信ステップと、移動通信端末が、位置取得ステップにおいて取得された位置情報と、受信ステップにおいて受信された位置情報とに基づいて、受信ステップにおいて受信された所定の情報を格納するか否かを判定する格納判定ステップと、移動通信端末が、格納判定ステップにおいて所定の情報を格納すると判定された場合に、当該所定の情報を格納する格納ステップと、を含むことを特徴とする。
【００２５】
このような移動通信端末及び無線通信方法によれば、移動通信端末自身の位置情報と、他の移動通信端末の位置情報とに基づいて、所定の情報を格納するか否かが判定される。これにより、所定の情報を格納する際に位置情報が考慮されるので、情報を必要とする移動通信端末に、移動体通信網とは異なる所定の無線通信方式を用いて当該情報を提供できる。
【発明の効果】
【００２６】
このような移動通信端末、無線通信方法及び移動通信システムによれば、情報を必要とする移動通信端末に、移動体通信網とは異なる所定の無線通信方式を用いて当該情報を提供できる。
【発明を実施するための最良の形態】
【００２７】
以下、添付図面を参照しながら本発明の実施形態を詳細に説明する。なお、図面の説明において同一又は同等の要素には同一の符号を付し、重複する説明を省略する。
【００２８】
（第１実施形態）
まず、図１を用いて、第１実施形態に係る配信システム（移動通信システム）１について説明する。図１は、配信システム１の全体構成を示す図である。
【００２９】
配信システム１は、携帯電話機（移動通信端末）１０、無線ＬＡＮ（Local Area Network）２０、移動体通信網３０、及び配信サーバ４０を備えている。
【００３０】
携帯電話機１０は、移動体通信網３０を介して配信サーバ４０と通信することが可能である。また、携帯電話機１０は、無線ＬＡＮ２０を介して他の通信装置と通信することも可能である。
【００３１】
無線ＬＡＮ２０は、携帯電話機１０に加えて、他の携帯電話機（他の移動通信端末）５１，５２と、アクセスポイント６０とを備えている。アクセスポイント６０は、複数の携帯電話機を相互に接続する無線機である。無線ＬＡＮ２０において、携帯電話機１０及び他の携帯電話機５１，５２は、アクセスポイント６０を介して互いに通信できるとともに、アクセスポイント６０を介さず、互いに直接接続して通信することも可能である。一般に、アクセスポイントを介する無線通信方式をインフラストラクチャモードといい、携帯電話機同士が直接接続される無線通信方式をアドホックモードという。図１の例では、接続２１がインフラストラクチャモードでの接続であり、接続２２がアドホックモードでの接続である。
【００３２】
移動体通信網３０は、図示しない基地局及び基地局制御装置などから構成される無線通信網である。移動体通信網３０の無線通信方式としては、例えば、Ｗ−ＣＤＭＡ（Wideband Code Division Multiple Access）やＨＳＤＰＡ（High Speed Downlink Packet Access）を採用することができるが、これらに限定されるものではない。
【００３３】
配信サーバ４０は、自サーバで生成、又は他の通信装置から受信した配信情報（所定の情報）を、移動体通信網３０を介して携帯電話機１０や他の携帯電話機５１，５２に配信する。配信サーバ４０は、移動体通信網３０が整備されているすべての地域に情報を配信できるとともに、配信地域を限定して情報を配信することも可能である。配信地域の限定は、例えば情報を配信する基地局制御装置を限定することで実現される。
【００３４】
配信情報には、情報の内容を示すコンテンツデータ、配信情報の緊急度を示す緊急度情報、メッセージＩＤ及びシリアル番号が含まれる。緊急度情報は、情報の重要性や即時性などに基づく指数であり、「緊急性あり」又は「緊急性なし」を示すフラグで表される。例えば、配信情報が地震などの災害に関するもの（災害情報）であれば緊急度情報が「緊急性あり」に、配信情報がスポーツニュースであれば緊急度情報が「緊急性なし」に、それぞれ設定される。なお、緊急度情報の設定方法はこれに限定されず、例えば０〜３の四段階で設定されてもよい。一方、メッセージＩＤ及びシリアル番号は、配信情報を識別するためのデータである。
【００３５】
なお、図１は、説明を簡単にするために簡略化されたものである。携帯電話機１０、他の携帯電話機５１，５２、アクセスポイント６０、配信サーバ４０の個数は限定されない。
【００３６】
次に、図２を用いて、図１に示す携帯電話機１０の機能構成について説明する。図２は、携帯電話機１０の機能構成を示す図である。
【００３７】
携帯電話機１０は、機能的構成要素として、移動体通信用アンテナ１０２、無線ＬＡＮ用アンテナ１０４、受信部（受信手段）１０６、配信情報格納部（格納手段）１０８、出力部１１０、第１位置取得部（第１の位置取得手段）１１２、第２位置取得部（第２の位置取得手段）１１４、送信判定部（送信判定手段）１１６、及び送信部（送信手段）１１８を備えている。
【００３８】
移動体通信用アンテナ１０２は、移動体通信網３０を構成する基地局（図示せず）との間で所定のデータ信号を送受信できる。無線ＬＡＮ用アンテナ１０４は、無線ＬＡＮを構成する通信機器との間で所定のデータ信号を送受信できる。なお、本実施形態では、携帯電話機１０が移動体通信用及び無線ＬＡＮ用にそれぞれアンテナを備えているが、アンテナの構成はこれに限定されない。例えば、一本のアンテナと、複数の周波数帯域を分離可能な共用器とを用いる共用方式を携帯電話機１０に採用してもよい。
【００３９】
受信部１０６は、移動体通信用アンテナ１０２又は無線ＬＡＮ用アンテナ１０４を介して入力された信号を受信及び復号し、復号されたデータを配信情報格納部１０８、第１位置取得部１１２及び第２位置取得部１１４に出力する部分である。なお、受信部１０６が、データの出力先を判定した上で、第１位置取得部、配信情報格納部１０８及び第２位置取得部１１４のいずれかにデータを出力してもよい。
【００４０】
配信情報格納部１０８は、受信部１０６から入力されたデータから配信情報を抽出して格納するとともに、その配信情報（携帯電話機１０に格納されている配信情報）を出力部１１０及び送信判定部１１６に出力する部分である。
【００４１】
出力部１１０は、配信情報格納部１０８から入力された配信情報を出力装置（図示せず）に出力する部分である。例えば、出力部１１０は、配信情報を文字、静止画像、又は動画により画面（図示せず）に表示したり、音声をスピーカ（図示せず）から出力したりする。これにより、携帯電話機１０の所持者は、ニュースや、災害の発生などを知ることができる。なお、出力部１１０は、携帯電話機１０の操作ボタン（図示せず）を介して入力された指示に基づいて配信情報を出力することもできる。
【００４２】
第１位置取得部１１２は、受信部１０６から入力されたデータから、携帯電話機１０の現在位置を示す位置情報（自端末の位置情報）を抽出して、図示しないメモリに格納する部分である。具体的には、第１位置取得部１１２は、移動体通信網３０からの報知情報から、携帯電話機１０が現在位置するセルを識別するセルＩＤを抽出し格納する。このセルＩＤにより、当該セルＩＤで示される基地局を中心とする一定の範囲内（当該基地局からの電波が到達する範囲）に携帯電話機１０が存在することがわかる。
【００４３】
第２位置取得部１１４は、受信部１０６から入力されたデータから、他の携帯電話機５１，５２を識別する端末ＩＤと、当該他の携帯電話機５１，５２の現在位置を示すセルＩＤとを抽出して送信判定部１１６に出力する部分である。
【００４４】
送信判定部１１６は、携帯電話機１０のセルＩＤと他の携帯電話機のセルＩＤとに基づいて、配信情報格納部１０８から入力された配信情報を他の携帯電話機に送信するか否かを判定する部分である。送信判定部１１６は、まず、入力された配信情報から緊急度情報を取得し、その緊急度情報が「緊急性あり」か否か、すなわち緊急度情報が閾値以上か否かを判定する。そして、取得した緊急度情報が「緊急性あり」の場合、送信判定部１１６は、他の携帯電話機のセルＩＤを取得するための位置要求を生成して送信部１１８に出力する。言い換えれば、送信判定部１１６は、配信情報の内容に基づいて当該配信情報を他の携帯電話機に送信するか否かを判定する。
【００４５】
続いて、送信判定部１１６は、出力した指示信号に応じて第２位置取得部１１４から入力された他の携帯電話機の端末ＩＤ及びセルＩＤを取得する。また、送信判定部１１６は、第１位置取得部１１２に格納されている携帯電話機１０のセルＩＤを読み出す。そして、送信判定部１１６は、他の携帯電話機のセルＩＤと携帯電話機１０のセルＩＤとが一致するか否かを判定する。ここで、これら二つのセルＩＤが一致した場合、送信判定部１１６は、そのセルＩＤに対応する端末ＩＤで識別される他の携帯電話機に送信すると判定し、当該他の携帯電話機の端末ＩＤと配信情報とを送信部１１８に出力する。
【００４６】
例えば、他の携帯電話機５１のセルＩＤ、及び携帯電話機１０のセルＩＤが共に「０１」であれば、端末ＩＤ及び配信情報の出力が行われる。一方、他の携帯電話機５１のセルＩＤが「０１」で携帯電話機１０のセルＩＤが「１０」であれば、その出力は行われない。
【００４７】
なお、他の携帯電話機の端末ＩＤ及びセルＩＤは、携帯電話機１０と接続した電話機の個数だけ送信判定部１１６に入力される。この場合、送信判定部１１６は、入力されたすべての端末ＩＤに対して上記の判定処理を行う。例えば、送信判定部１１６は、他の携帯電話機５１，５２について、それぞれセルＩＤを比較し、その結果に基づいて出力の要否を判定する。
【００４８】
送信部１１８は、他の携帯電話機に配信情報を送信（転送）する部分である。送信部１１８は、送信判定部１１６からの位置要求が入力された場合に、まず、無線ＬＡＮ２０を介して接続可能な他の携帯電話機を探索する。そして、他の携帯電話機が探索できた場合、送信部１１８は、探索された他の携帯電話機とアドホックモードで接続する。続いて、送信部１１８は、入力された位置要求を接続されている他の携帯電話機に送信する。これにより、他の携帯電話機の端末ＩＤ及びセルＩＤを含む信号が受信部１０６で受信される。例えば、送信部１１８が他の携帯電話機５１，５２を探索した場合、送信部１１８は、他の携帯電話機５１，５２のそれぞれとアドホックモードで接続し、位置要求を送信する。
【００４９】
その後、送信部１１８は、送信判定部１１６から端末ＩＤ及び配信情報が入力された場合に、当該端末ＩＤに対応する他の携帯電話機に配信情報を送信する。この場合も、携帯電話機１０と他の携帯電話機とはアドホックモードで接続されている。これにより、他の携帯電話機（例えば、他の携帯電話機５１，５２）は、緊急度が高い配信情報を受信することができる。
【００５０】
次に、図３を用いて、他の携帯電話機５１，５２の機能構成について説明する。図２は、特に、他の携帯電話機５１の機能構成を示す図である。他の携帯電話機５１，５２の構成要素は携帯電話機１０のものと同じである。以下では、他の携帯電話機５１を例に、携帯電話機１０と異なる機能のみを説明する。
【００５１】
受信部５０６は、携帯電話機１０とアドホックモードで接続し、その携帯電話機１０から送信された位置要求を受信する。そして、受信部５０６は、その位置要求を送信部５１８に出力する。
【００５２】
送信部５１８は、受信部５０６から位置要求が入力された場合に、第１位置取得部５１２からセルＩＤを読み出す。そして、送信部５１８は、そのセルＩＤと自機の端末ＩＤとを携帯電話機１０に送信する。すなわち、送信部５１８は、セルＩＤを携帯電話機１０に提供する位置提供手段である。
【００５３】
その後、携帯電話機１０から配信情報が他の携帯電話機５１に送信された場合、無線ＬＡＮ用アンテナ５０４がその配信情報に対応するデータ信号を受信する。続いて、受信部５０６が、そのデータ信号を受信及び復号する。すなわち、受信部５０６は、送信部５１８が送信したセルＩＤに応じて携帯電話機１０から送信された配信情報を受信する受信手段である。
【００５４】
配信情報格納部５０８は、受信部５０６から入力された配信情報からメッセージＩＤ及びシリアル番号を取得する。そして、配信情報格納部５０８は、取得したメッセージＩＤ及びシリアル番号を有する配信情報が既に格納済か否かを判定する。そして、入力された配信情報が未だ格納されていない場合のみ、配信情報格納部５０８は、入力された配信情報を格納する。すなわち、配信情報格納部５０８は、受信部５０６により受信された配信情報を格納する格納手段である。
【００５５】
次に、図４及び５を用いて、図１に示す配信システム１の処理を説明するとともに本実施形態に係る配信方法（移動体通信方法）について説明する。図４は、配信情報の受信からアドホックモードによる接続までの処理を示すシーケンス図である。また、図５は、その接続から、他の携帯電話機における配信情報の格納までの処理を示すシーケンス図である。
【００５６】
まず、携帯電話機１０の受信部１０６が、配信サーバ４０から配信された配信情報を受信する（ステップＳ１０）。続いて、送信判定部１１６が緊急度情報から配信情報を取得し（ステップＳ１２）、その緊急度情報が「緊急性あり」か否か、すなわち緊急度が閾値以上であるか否かを判定する（ステップＳ１４）。そして、緊急度情報が「緊急性あり」（閾値以上）の場合（ステップＳ１４；ＹＥＳ）、送信部１１８が無線ＬＡＮ２０において接続可能な他の携帯電話機を探索する（ステップＳ１６）。ここで、送信部１１８が他の携帯電話機を一台以上探索できた場合（ステップＳ１８；ＹＥＳ）、送信部１１８は、探索された他の携帯電話機とアドホックモードで接続する。なお、図４では、送信部１１８が他の携帯電話機５１，５２のそれぞれとアドホックモードで接続したものとする（ステップＳ２０）。
【００５７】
なお、取得した緊急度情報が「緊急性なし」の場合（ステップＳ１４；ＮＯ）、又は他の携帯電話機を一台も探索できなかった場合（ステップＳ１８；ＮＯ）、携帯電話機１０は処理を終了する。
【００５８】
アドホックモードでの接続が行われた後、送信部１１８は、他の携帯電話機５１，５２のそれぞれに位置要求を送信する（ステップＳ２２）。続いて、この位置要求の送信に応じて、他の携帯電話機５１，５２がセルＩＤを携帯電話機１０に送信する。例えば、最初に他の携帯電話機５１がセルＩＤ及び端末ＩＤを送信した場合（ステップＳ２４）、携帯電話機１０の第２位置取得部１１４がそのセルＩＤを取得する（第２の位置取得ステップ）。続いて、送信判定部１１６が、携帯電話機１０のセルＩＤを読み出し（ステップＳ２６、第１の位置取得ステップ）、そのセルＩＤと受信したセルＩＤとを比較して配信情報を送信するか否かを判定する（ステップＳ２８、送信判定ステップ）。そして、セルＩＤが一致する場合（ステップＳ２８；ＹＥＳ）、送信部１１８が配信情報を他の携帯電話機５１に送信する（ステップＳ３０、送信ステップ）。なお、二つのセルＩＤが一致しない場合（ステップＳ２８；ＮＯ）、携帯電話機１０は、他の携帯電話機５１に対する処理を終了する。
【００５９】
その後、他の携帯電話機５１では、配信情報格納部５０８が、受信された配信情報と同一のものが格納済か否かを判定する（ステップＳ３２）。そして、そのような配信情報が未だ格納されていない場合（ステップＳ３２；ＮＯ）、配信情報格納部５０８は、受信された配信情報を格納する（ステップＳ３４）。これに対し、受信された配信情報が既に格納されていれば（ステップＳ３２；ＹＥＳ）、配信情報格納部５０８は、受信された配信情報を破棄し、処理を終了する。
【００６０】
その後、他の携帯電話機５１は、上記ステップＳ１２〜Ｓ３０と同様の処理を行うことで、受信した配信情報を更に別の携帯電話機に送信（転送）する。
【００６１】
また、他の携帯電話機５２がセルＩＤを送信した場合（ステップＳ３６）は、上記ステップＳ２８〜Ｓ３４と同様の処理が行われる（ステップＳ３８〜Ｓ４４）。
【００６２】
以上説明したように、本実施形態によれば、まず、携帯電話機１０自身のセルＩＤと、他の携帯電話機（例えば、他の携帯電話機５１）のセルＩＤとが取得される。続いて、それら二つのセルＩＤに基づいて、携帯電話機１０に格納されている配信情報を他の携帯電話機に送信するか否かが判定される。そして、配信情報を送信すると判定された場合に、その配信情報が、アドホックモードによる接続を介して他の携帯電話機に送信される。これにより、配信情報を送信する際に、他の携帯電話機のセルＩＤが考慮されるので、その配信情報を必要とする携帯電話機に、アドホックモードによる接続を介して当該配信情報を提供できる。
【００６３】
例えば、災害発生直後に、配信サーバ４０がその災害に関する情報（災害情報）を配信した場合には、配信対象地域に存在する携帯電話機すべてが移動体通信網３０を介してその配信地域を受信することが好ましい。しかし、一部の携帯電話機は、通信圏外に存在したり、他の機能（例えば通話やインターネット接続）を実行中であったりするために、配信サーバ４０からの配信情報を受信できない場合がある。本実施形態によれば、配信サーバ４０から直接配信情報を受信できない携帯電話機は、アドホックモードによる接続を介して別の携帯電話機から配信情報を受信できる。
【００６４】
一方で、無線ＬＡＮ２０内で配信情報が無制限に転送されてしまっては、災害発生地から遠い場所に存在する携帯電話機、すなわち災害情報を受信する必要がない携帯電話機にも災害情報が送信されてしまう。本実施形態では、送信側及び受信側それぞれの携帯電話機の位置情報に基づいて送信の要否が判定されるので、配信情報が送信される範囲が限定される。これにより、配信システム１は、災害情報を必要とする携帯電話機に限定して当該災害情報を配信できる。
【００６５】
また、本実施形態によれば、送信すると判定された場合にだけ配信情報が送信されるので、アドホックモードによる接続を介して伝送される配信情報の量が低減される。その結果、送信処理の負荷を低減できる。
【００６６】
また、本実施形態によれば、配信情報を送信する携帯電話機１０と、その配信情報を受信する他の携帯電話機（例えば他の携帯電話機５１）とがアドホックモードで接続される。これにより、アクセスポイント６０を介することなく、配信情報が送信される。そのため、アクセスポイント６０の稼働状況に依存することなく、配信情報を他の携帯電話機に送信できる。また、アクセスポイント６０の負荷を低減できる。
【００６７】
また、本実施形態によれば、セルＩＤを取得する携帯電話機１０と、そのセルＩＤを提供する他の携帯電話機とがアドホックモードで接続される。これにより、アクセスポイント６０を介することなく、他の携帯電話機のセルＩＤが携帯電話機１０により取得される。そのため、アクセスポイント６０の稼働状況に依存することなく、そのセルＩＤを取得できる。また、アクセスポイント６０の負荷を低減できる。
【００６８】
また、本実施形態によれば、携帯電話機１０のセルＩＤと他の携帯電話機のセルＩＤとが一致する場合に、配信情報が当該他の携帯電話機に送信される。これにより、配信情報の送信範囲が、同一のセルＩＤで示される範囲に限定されるので、当該範囲に存在する他の携帯電話機に限定して当該配信情報を提供できる。また、送信範囲が限定されることで、配信情報の送信量が低減されるので、送信処理の負荷を更に低減できる。
【００６９】
また、本実施形態によれば、配信サーバ４０から送信されてきた配信情報を他の携帯電話機に転送する際に、携帯電話機１０自身のセルＩＤと、当該他の携帯電話機のセルＩＤとが考慮される。これにより、その配信情報を必要とする他の携帯電話機に当該配信情報を転送できる。また、配信情報の転送量が低減されるので、転送処理の負荷を低減できる。
【００７０】
また、本実施形態によれば、携帯電話機１０及び他の携帯電話機のセルＩＤだけでなく、配信情報に含まれる緊急度情報にも基づいて、当該配信情報が送信される。これにより、緊急度の高い情報のみをアドホックモードによる接続を介して他の携帯電話機に送信できる。また、アドホックモードによる接続を介して伝送される情報が緊急度の高いものに限定されるので、送信量がより低減される。その結果、送信処理の負荷を更に低減できる。
【００７１】
（第２実施形態）
次に、図６を用いて、第２実施形態に係る配信システム２について説明する。図６は、第２実施形態に係る配信システム２の全体構成を示す図である。この配信システム２は、携帯電話機１０に代えて他の携帯電話機７０を、他の携帯電話機５１，５２に代えて携帯電話機８１，８２を、それぞれ備えている。本実施形態の他の構成は、第１実施形態と同じなので、説明を省略する。
【００７２】
図７は、他の携帯電話機７０の機能構成を示す図である。他の携帯電話機７０は、第１実施形態における第１位置取得部１１２に代えて位置取得部７１２を備え、第２位置取得部１１４に相当する手段を備えていない。第１実施形態の機能と同じものを有する構成要素については、説明を省略する。
【００７３】
受信部７０６は、移動体通信用アンテナ７０２又は無線ＬＡＮ用アンテナ７０４を介して入力された信号を受信及び復号し、復号されたデータを配信情報格納部７０８及び位置取得部７１２に出力する部分である。
【００７４】
送信判定部７１４は、配信情報格納部７０８から入力された配信情報から緊急度情報を取得し、その緊急度情報に基づいて、配信情報を他の携帯電話機に送信するか否かを判定する部分である。送信判定部７１４は、取得した緊急度情報が「緊急性あり」の場合に、位置取得部７１２に格納されている他の携帯電話機７０のセルＩＤを読み出す。そして、送信判定部７１４は、読み出したセルＩＤと、入力された配信情報とを送信部７１６に出力する。
【００７５】
送信部７１６は、別の携帯電話機（移動通信端末）に配信情報を送信（転送）する部分である。送信部７１６は、他の携帯電話機７０のセルＩＤと配信情報とが入力されると、まず、無線ＬＡＮ２０を介して接続可能な携帯電話機を探索する。そして、携帯電話機が探索された場合、送信部７１６は、探索された携帯電話機とアドホックモードで接続する。続いて、送信部７１６は、入力されたセルＩＤと配信情報とを、接続されている携帯電話機に送信する。これにより、別の携帯電話機（例えば、携帯電話機８１，８２）は、緊急度が高い配信情報を受信することができる。
【００７６】
次に、図８を用いて、携帯電話機８１，８２の機能構成について説明する。図８は、携帯電話機８１の機能構成を示すものだが、携帯電話機８２の機能構成も図８に示すものと同じである。携帯電話機８１は、第１実施形態における第２位置取得部１１４に相当する手段を備えておらず、送信判定部１１６に代えて格納判定部８１８を備えている。第１実施形態の機能又は携帯電話機７０の機能と同じ部分については、説明を省略する。
【００７７】
受信部（受信手段）８１６は、他の携帯電話機７０とアドホックモードで接続し、他の携帯電話機７０のセルＩＤと配信情報とを受信する部分である。そして、受信部８１６は、それらセルＩＤ及び配信情報を格納判定部８１８に出力する。
【００７８】
格納判定部（格納判定手段）８１８は、受信部８１６から入力された配信情報、及び、位置取得部（位置取得手段）８２４で取得された自機のセルＩＤと他の携帯電話機７０とのセルＩＤとの比較に基づいて、配信情報を格納するか否かを判定する部分である。まず、格納判定部８１８は、位置取得部８２４に格納されている自機のセルＩＤを読み出す。そして、格納判定部８１８は、入力されたセルＩＤと読み出したセルＩＤとが一致するか否かを判定する。
【００７９】
ここで、これら二つのセルＩＤが一致した場合、格納判定部８１８は、入力された配信情報からメッセージＩＤ及びシリアル番号を取得する。続いて、格納判定部８１８は、取得したメッセージＩＤ及びシリアル番号を有する配信情報が既に格納済か否かを判定する。そして、入力された配信情報が未だ格納されていない場合、格納判定部８１８は、入力された配信情報を配信情報格納部８２０に出力する。また、格納判定部８１８は、その配信情報と読み出したセルＩＤとを送信部８２６に出力する。
【００８０】
なお、入力されたセルＩＤと読み出したセルＩＤとが一致しない場合、又は入力された配信情報が既に格納されている場合、格納判定部８１８は、入力された配信情報を破棄する。この場合、配信情報格納部８２０及び送信部８２６への配信情報の出力は行われない。
【００８１】
配信情報格納部（格納手段）８２０は、格納判定部８１８から入力された配信情報を格納するとともに、その配信情報を出力部８２２に出力する部分である。
【００８２】
送信部８２６は、格納判定部８１８から入力された配信情報及びセルＩＤを別の携帯電話機に送信する部分である。具体的な送信方法は、他の携帯電話機７０の送信部７１６のものと同じである。
【００８３】
次に、図９及び１０を用いて、図６に示す配信システム２の処理について説明する。図９は、配信情報の受信からアドホックモードによる接続までの処理を示すシーケンス図である。また、図１０は、その接続から、携帯電話機８１，８２における配信情報の格納までの処理を示すシーケンス図である。
【００８４】
ステップＳ６０〜Ｓ６４の処理は、第１実施形態におけるステップＳ１０〜Ｓ１４の処理と同様である。ステップＳ６４において、取得した緊急度情報が「緊急性あり」の場合（ステップＳ６４；ＹＥＳ）、他の携帯電話機７０において、送信判定部７１４が自機のセルＩＤを読み出す（ステップＳ６６）。続いて、送信部７１６が、無線ＬＡＮ２０において接続可能な携帯電話機を探索する（ステップＳ６８）。ここで、送信部７１６が携帯電話機を一台以上探索できた場合（ステップＳ７０；ＹＥＳ）、送信部７１６は、探索された携帯電話機とアドホックモードで接続する。なお、図９では、送信部７１６が携帯電話機８１，８２のそれぞれとアドホックモードで接続したものとする（ステップＳ７２）。
【００８５】
なお、取得した緊急度情報が「緊急性なし」の場合（ステップＳ６４；ＮＯ）、又は他の携帯電話機を一台も探索できなかった場合（ステップＳ７０；ＮＯ）、他の携帯電話機７０は処理を終了する。
【００８６】
アドホックモードでの接続が行われた後（ステップＳ７２）、送信部７１６は、携帯電話機８１，８２のそれぞれに、自機のセルＩＤと配信情報とを送信する（ステップＳ７４）。
【００８７】
その後、携帯電話機８１において、受信部８１６が、他の携帯電話機７０から送信されたセルＩＤと配信情報とを受信する（受信ステップ）。続いて、格納判定部８１８が、自機のセルＩＤを読み出し（ステップＳ７６、位置取得ステップ）、そのセルＩＤと他の携帯電話機７０から受信したセルＩＤとが一致するか否かを判定する（ステップＳ７８、格納判定ステップ）。ここで、これら二つのセルＩＤが一致する場合（ステップＳ７８；ＹＥＳ）、格納判定部８１８は、受信された配信情報と同一のものが格納済か否かを判定する（ステップＳ８０）。そして、そのような配信情報が未だ格納されていない場合（ステップＳ８０；ＮＯ）、配信情報格納部１０８がその配信情報を格納する（ステップＳ８２、格納ステップ）。これに対し、自機のセルＩＤと受信されたセルＩＤとが異なる場合（ステップＳ７８；ＮＯ）、又は受信された配信情報が既に格納されている場合（ステップＳ８０；ＹＥＳ）、格納判定部８１８は、受信された配信情報を破棄し、処理を終了する。すなわち、配信情報の転送が携帯電話機８１で止まる。
【００８８】
その後、携帯電話機８１は、受信した配信情報を更に別の携帯電話機（図示せず）に送信（転送）する（ステップＳ８３）。この送信処理は、上記ステップＳ６２〜Ｓ７４のものと同様である。
【００８９】
また、携帯電話機８２が、他の携帯電話機７０からセルＩＤ及び配信情報を受信した場合は、上記ステップＳ７６〜Ｓ８３と同様の処理が行われる（ステップＳ８４〜Ｓ９２）。
【００９０】
以上説明したように、本実施形態によれば、携帯電話機（例えば携帯電話機８１）自身のセルＩＤと、他の携帯電話機７０のセルＩＤとに基づいて、配信情報を格納するか否かが判定される。そして、その配信情報が格納された場合のみ、当該配信情報が別の携帯電話機に送信される。これにより、配信情報を格納する際にセルＩＤが考慮されるので、配信情報を必要とする携帯電話機に、アドホックモードによる接続を介して当該配信情報を提供できる。
【００９１】
以上、本発明をその実施形態に基づいて詳細に説明した。しかし、本発明は上記実施形態に限定されるものではない。本発明は、その要旨を逸脱しない範囲で以下のような様々な変形が可能である。
【００９２】
上記実施形態では、自機のセルＩＤと他の携帯電話機のセルＩＤとが一致する場合に配信情報の送信又は格納が行われたが、セルＩＤに基づく判定の手法はこれに限定されない。例えば、それら二つのセルＩＤが一致する場合、又は二つのセルＩＤで示されるセルが隣接する場合に、配信情報の送信又は格納を実行するように配信システムを構成してもよい。
【００９３】
また、上記実施形態では、携帯電話機間の接続はアドホックモードで行われたが、インフラストラクチャモードによる接続を用いてもよい。この場合、アドホックモードによる接続と比較して、配信情報の送信効率を向上させることができる。
【００９４】
また、上記実施形態では、無線ＬＡＮ２０を利用したが、携帯電話機同士が無線ＬＡＮなどの無線通信網を使わずに直接接続（アドホックモードで接続）してもよい。
【００９５】
また、上記実施形態では、携帯電話機１０及び他の携帯電話機７０が、配信サーバ４０からの配信情報を他の携帯電話機に転送したが、自機で生成した情報を他の携帯電話機に送信するために上記実施形態の手法を用いてもよい。また、携帯電話機１０及び他の携帯電話機７０が、図示しない別の携帯電話機からの配信情報を他の携帯電話機に転送するために同じ手法を用いてもよい。
【００９６】
また、上記実施形態では、緊急度情報の内容に基づいて配信情報を送信するか否かが判定されたが（例えば上記ステップＳ１４）、配信情報の内容に基づく判定の手法は限定されない。例えば、「雪崩が来ます」などの特定の文字列（特定の情報）が配信情報に含まれている場合に当該配信情報の送信を行うと判定するように、配信システムを構成してもよい。この場合、送信判定部１１６及び７１４は、一つ以上の特定の文字列を予め図示しないメモリなどに格納しておき、パターンマッチングなどの手法を用いて配信情報の中に特定の文字列が含まれているか否かを判定すればよい。なお、予め格納する特定の情報は文字列に限定されず、画像データなどでもよい。
【００９７】
この場合、携帯電話機及び他の携帯電話機の位置情報だけでなく、特定の情報の有無にも基づいて、配信情報が送信される。これにより、特定の情報を含む配信情報のみを他の携帯電話機に送信できる。また、伝送される配信情報が限定されるので、配信情報の送信量がより低減される。その結果、送信処理の負荷を更に低減できる。
【００９８】
また、上記実施形態では、移動通信端末として携帯電話機を用いたが、簡易型携帯電話機（ＰＨＳ：Personal Handy-phone System）、あるいは、携帯型情報端末（ＰＤＡ：Personal Digital Assistant）などを移動通信端末として利用してもよい。
【図面の簡単な説明】
【００９９】
【図１】第１実施形態に係る配信システムの全体構成を示す図である。
【図２】図１に示す携帯電話機の機能構成を示す図である。
【図３】図１に示す他の携帯電話機の機能構成を示す図である。
【図４】図１に示す配信システムの処理を示すシーケンス図である。
【図５】図１に示す配信システムの処理を示すシーケンス図である。
【図６】第２実施形態に係る配信システムの全体構成を示す図である。
【図７】図６に示す他の携帯電話機の機能構成を示す図である。
【図８】図６に示す携帯電話機の機能構成を示す図である。
【図９】図６に示す配信システムの処理を示すシーケンス図である。
【図１０】図６に示す配信システムの処理を示すシーケンス図である。
【符号の説明】
【０１００】
１，２…配信システム（移動通信システム）、１０，８１，８２…携帯電話機（移動通信端末）、２０…無線ＬＡＮ、３０…移動体通信網、５１，５２，７０…他の携帯電話機（他の移動通信端末）、１０６…受信部（受信手段）、１０８…配信情報格納部（格納手段）、１１２…第１位置取得部（第１の位置取得手段）、１１４…第２位置取得部（第２の位置取得手段）、１１６…送信判定部（送信判定手段）、１１８…送信部（送信手段）、５０６…受信部（受信手段）、５０８…配信情報格納部（格納手段）、５１８…送信部（位置提供手段）、８１６…受信部（受信手段）、８１８…格納判定部（格納判定手段）、８２０…配信情報格納部（格納手段）８２４…位置取得部（位置取得手段）、８２６…送信部。
【図１】
2008244813.tif 000003
【図２】
2008244813.tif 000004
【図３】
2008244813.tif 000005
【図４】
2008244813.tif 000006
【図５】
2008244813.tif 000007
【図６】
2008244813.tif 000008
【図７】
2008244813.tif 000009
【図８】
2008244813.tif 000010
【図９】
2008244813.tif 000011
【図１０】
2008244813.tif 000012